(57)【要約】【課題】  充分な補強効果を保持し得るとともに施工性の向上を図った軒樋接続用継手を提供する。【解決手段】  本発明の軒樋接続用継手では、底壁部９と、底壁部９の後端１０に立設される後壁部１１と、底壁部９の前端１２に立設される前壁部１３とからなる断面略コ字形の内面形状を有する継手本体１４を備える一方、後壁部１１と、前壁部１３とを、接続、補強し得る、着脱自在の補強バー１５ａを具備するので、充分な補強効果を保持できる一方、施工時には、補強バー１５ａを外した状態で施工することにより、補強バー１５ａが、瓦に当たって施工作業の障害となる等の不具合が回避でき、施工性の向上を達成し得ることとなる。【選択図】図１
2005273335.tif 000002
【特許請求の範囲】
【請求項１】
上端部に耳部を備えていて断面外形が略コ字形で開口を上方に向けて軒先に設置される軒樋を、前記軒樋の接続端部内面側から前記軒樋の接続端面同士で接続できるとともに、前記軒樋に対して内嵌可能に形成された軒樋接続用継手において、底壁部と、該底壁部の後端に立設される後壁部と、前記底壁部の前端に立設される前壁部とからなる断面略コ字形の内面形状を有する継手本体を備える一方、前記後壁部と、前記前壁部とを、接続、補強し得る、着脱自在の補強バーを具備することを特徴とする軒樋接続用継手。
【請求項２】
前記後壁部が後壁補強バー係合部を、前記前壁部が前壁補強バー係合部を、それぞれ備え、前記補強バーが、前記後壁補強バー係合部と係合可能な後壁係合部と、前記前壁補強バー係合部と係合可能な前壁係合部と、をそれぞれ備えることを特徴とする請求項１記載の軒樋接続用継手。
【発明の詳細な説明】
【技術分野】
【０００１】
本発明は、軒先に設置される軒樋を、軒樋内面側から接続できる軒樋接続用継手に関するものである。
【背景技術】
【０００２】
従来、軒樋接続用継手としては、軒樋６の接続端部２０を接続せしめた後、下側（軒樋６の外側）から嵌着保持する外継手Ａ−０が知られていた（図３参照）。しかしながら、この場合、施工完了後においても、外継手Ａ−０が所々に見えることになり、美観上好ましいとは言えなかった。なお、ここで、図３は、従来例に係る外継手Ａ−０の概略を模式的に示す斜視図である。また、図４は、従来例に係る内継手Ａ−１について図示するもので、（ａ）は、内継手Ａ−１の要部の概略を示す斜視図、（ｂ）は、内継手Ａ−１の軒樋６への嵌着状態の概略を模式的に示す断面図である。さらに、図５は、従来例に係る内継手Ａ−２の施工時の様子を模式的に示す図である。
【０００３】
すなわち、軒樋６の持つ美しい水平線が、住宅を彩る重要な要素として重視されるようになっている昨今においては、かかるニーズに外継手Ａ−０で対応するのは難しく、これに対応するために、例えば、特開２００３−２１３８６０号公報に開示されるように、軒樋６を、軒樋内面側から接続できる内継手Ａ−１が、注目されるに至った（図４参照）。さらに、かかる内継手Ａ−１によれば、内継手Ａ−１の後壁部１１と、前壁部１３とを、接続、補強し得る、補強バー１５を設け得るというさらなる利点がある。すなわち、軒樋６の断面外形がコの字で開口を有する以上、開口の開閉に伴うたわみが発生するが、従来の外継手Ａ−０では、軒樋６の外側に嵌着するように取付けられるので、外継手Ａ−０の前辺内面２１と後辺内面２２との間に補強材を設けることは構造上不可能だからである。
【０００４】
その一方で、図５に示すように、内継手（図５では、内継手Ａ−２）を採用した場合には、軒樋６の接続を内継手Ａ−２で行なう際に、例えば、瓦５が、厚物である場合等においては、施工時に、内継手Ａ−２でに既設した補強バー１５が、瓦５に当たって、施工作業の障害となり得る等の新たな問題点に直面することとなった。
【特許文献１】特開２００３−２１３８６０号公報
【発明の開示】
【発明が解決しようとする課題】
【０００５】
本発明は、上記背景技術に鑑みて発明されたものであり、その課題は、充分な補強効果を保持し得るとともに施工性の向上を図った軒樋接続用継手を提供することである。
【課題を解決するための手段】
【０００６】
上記課題を解決するために、請求項１に係る発明の軒樋接続用継手にあっては、上端部に耳部を備えていて断面外形が略コ字形で開口を上方に向けて軒先に設置される軒樋を、前記軒樋の接続端部内面側から前記軒樋の接続端面同士で接続できるとともに、前記軒樋に対して内嵌可能に形成された軒樋接続用継手において、底壁部と、該底壁部の後端に立設される後壁部と、前記底壁部の前端に立設される前壁部とからなる断面略コ字形の内面形状を有する継手本体を備える一方、前記後壁部と、前記前壁部とを、接続、補強し得る、着脱自在の補強バーを具備することを特徴とするものである。
【０００７】
請求項２に係る発明の軒樋接続用継手にあっては、請求項１記載の軒樋接続用継手において、前記後壁部が後壁補強バー係合部を、前記前壁部が前壁補強バー係合部を、それぞれ備え、前記補強バーが、前記後壁補強バー係合部と係合可能な後壁係合部と、前記前壁補強バー係合部と係合可能な前壁係合部と、をそれぞれ備えることを特徴とするものである。
【発明の効果】
【０００８】
本発明の軒樋接続用継手では、上端部に耳部を備えていて断面外形が略コ字形で開口を上方に向けて軒先に設置される軒樋を、前記軒樋の接続端部内面側から前記軒樋の接続端面同士で接続できるとともに、前記軒樋に対して内嵌可能に形成された軒樋接続用継手において、底壁部と、該底壁部の後端に立設される後壁部と、前記底壁部の前端に立設される前壁部とからなる断面略コ字形の内面形状を有する継手本体を備える一方、前記後壁部と、前記前壁部とを、接続、補強し得る、着脱自在の補強バーを具備するので、施工性の向上と併せて、補強バーによる充分な補強効果を保持し得ることとなる。
【発明を実施するための最良の形態】
【０００９】
以下、本発明の実施形態を図面に基づき説明する。なお、本発明の軒樋接続用継手は、下記の実施形態にのみ限定されるものではなく、本発明の要旨を逸脱しない範囲内において種々変更を加え得ることは勿論である。ここで、図１は、本発明の一実施形態である軒樋接続用継手Ａの構成の概略を模式的に示す断面図である。一方、図２は、本発明の一実施形態である軒樋接続用継手Ａの軒樋６への嵌着状態の概略を模式的に示す斜視図である。
【００１０】
すなわち、本実施形態の軒樋接続用継手Ａは、図１、図２に示すように、上端部１に耳部２を備えていて断面外形が略コ字形で開口３を上方に向けて軒先４（上記図５参照）に設置される軒樋６を、前記軒樋６の接続端部内面７の側から前記軒樋６の接続端面８同士で接続できるとともに、軒樋６に対して内嵌可能に形成された軒樋接続用継手である。
【００１１】
さらに、本実施形態の軒樋接続用継手Ａでは、底壁部９と、底壁部９の後端１０に立設される後壁部１１と、底壁部９の前端１２に立設される前壁部１３とからなる断面略コ字形の内面形状を有する継手本体１４を備えており、また、後壁部１１と、前壁部１３とを、接続、補強し得る、着脱自在の補強バー１５ａを具備するものである。
【００１２】
具体的には、後壁部１１が後壁補強バー係合部１６を、前壁部１３が前壁補強バー係合部１７を、それぞれ備え、補強バー１５ａが、後壁補強バー係合部１６と係合可能な後壁係合部１８と、前壁補強バー係合部１７と係合可能な前壁係合部１９とをそれぞれ備えている。
【００１３】
したがって、上記図５に示した従来例とは異なり、軒樋６の接続を、例えば、本実施形態の軒樋接続用継手Ａで行なうとすれば、まず、施工時には、補強バー１５ａを外した状態で施工することにより、補強バー１５ａが、瓦５に当たって施工作業の障害となり得る等の不具合が回避でき、施工性の向上を達成し得ることとなる。その後、施工完了後に事後的に、前記後壁補強バー係合部１６と後壁係合部１８との係合、前壁補強バー係合部１７と前壁係合部１９との係合を介して、補強バー１５ａを装着することにより軒樋６の開口３の開閉に伴うたわみに対して効果的に対応し得るという補強バーの本来の役割をも確保し得ることとなる。このように、本実施形態の軒樋接続用継手Ａによれば、施工性の向上と併せて、補強バーによる充分な補強効果を保持し得ることとなる。
【図面の簡単な説明】
【００１４】
【図１】本発明の一実施形態である軒樋接続用継手Ａの構成の概略を模式的に示す断面図である。
【図２】本発明の一実施形態である軒樋接続用継手Ａの軒樋６への嵌着状態の概略を模式的に示す斜視図である。
【図３】従来例に係る外継手Ａ−０の概略を模式的に示す斜視図である。
【図４】従来例に係る内継手Ａ−１について図示するもので、（ａ）は、内継手Ａ−１の要部の概略を示す斜視図、（ｂ）は、内継手Ａ−１の軒樋６への嵌着状態の概略を模式的に示す断面図である。
【図５】従来例に係る内継手Ａ−２の施工時の様子を模式的に示す図である。
【符号の説明】
【００１５】
１    上端部（軒樋６）
２    耳部
３    開口
４    軒先
５    瓦（軒先４）
６    軒樋
７    接続端部内面（軒樋６）
８    接続端面（軒樋６）
９    底壁部
１０    後端（底壁部９）
１１    後壁部
１２    前端（底壁部９）
１３    前壁部
１４    継手本体
１５    補強バー
１５ａ  補強バー
１６    後壁補強バー係合部（後壁部１１）
１７    前壁補強バー係合部（前壁部１３）
１８    後壁係合部（補強バー１５ａ）
１９    前壁係合部（補強バー１５ａ）
２０    接続端部（軒樋６）
２１    前辺内面（外継手Ａ−０）
２２    後辺内面（外継手Ａ−０）
Ａ      軒樋接続用継手
Ａ−０  外継手
Ａ−１  内継手
Ａ−２  内継手
【図１】
2005273335.tif 000003
【図２】
2005273335.tif 000004
【図３】
2005273335.tif 000005
【図４】
2005273335.tif 000006
【図５】
2005273335.tif 000007